(57)【要約】【課題】耳押え体の部品点数を軽減して、耳押え体を簡単且つ確実に軒樋支持具本体に取付けることのできる軒樋支持具を提供する。【解決手段】軒樋Ｔの前耳Ｔ１及び後耳Ｔ２を各々掛止する前耳掛止部１１及び後耳掛止部１２を設けた軒樋支持具本体１と、この軒樋支持具本体１を軒先等の取付面に固定するための取付杆２と、前記前耳掛止部１１に掛止された前耳Ｔ１又は後耳掛止部１２に掛止された後耳Ｔ２の抜け外れを防止する耳押え体３と、を備えてなる軒樋支持具において、  前記耳押え体３は、軒樋Ｔの前耳Ｔ１又は後耳Ｔ２を押える耳押え片３１の基部に、前記軒樋支持具本体１に係止される取付片３２を一体形成してなり、前記耳押え片３１を、前耳掛止部１１に掛止された前耳Ｔ１又は後耳掛止部１２に掛止された後耳Ｔ２に添設すると共に、前記取付片３２を軒樋支持具本体１に係止して、前耳Ｔ１又は後耳Ｔ２の抜け外れを防止する構造にしている。【選択図】図１
2006225942.tif 000002
【特許請求の範囲】
【請求項１】
軒樋の前耳及び後耳を各々掛止する前耳掛止部及び後耳掛止部を設けた軒樋支持具本体と、この軒樋支持具本体を軒先等の取付面に固定するための取付杆と、前記前耳掛止部に掛止された前耳又は後耳掛止部に掛止された後耳の抜け外れを防止する耳押え体と、を備えてなる軒樋支持具において、
前記耳押え体は、軒樋の前耳又は後耳を押える耳押え片の基部に、前記軒樋支持具本体に係止される取付片を一体形成してなり、
前記耳押え片を、前耳掛止部に掛止された前耳又は後耳掛止部に掛止された後耳に添設すると共に、前記取付片を軒樋支持具本体に係止して、前耳又は後耳の抜け外れを防止する構造にしたことを特徴とする軒樋支持具。
【請求項２】
請求項１において、
耳押え体の取付片は、軒樋支持具本体に折り曲げて係止されてなることを特徴とする軒樋支持具。
【請求項３】
請求項１において、
耳押え体の取付片は、軒樋支持具本体に弾性付勢して係止されてなることを特徴とする軒樋支持具。
【請求項４】
請求項１において、
耳押え体の取付片は、軒樋支持具本体に折り曲げ及び弾性付勢して係止されてなることを特徴とする軒樋支持具。
【請求項５】
請求項１〜４の何れかにおいて、
耳押え片又は取付片の少なくとも一方には、補強部を形成したことを特徴とする軒樋支持具。
【発明の詳細な説明】
【技術分野】
【０００１】
本発明は、軒樋を軒先等に取付けるための軒樋支持具に関するものである。
【背景技術】
【０００２】
一般に、軒樋支持具は、軒樋の前耳及び後耳を各々掛止する前耳掛止部及び後耳掛止部を設けた軒樋支持具本体と、この軒樋支持具本体を軒先等の取付面に固定するための取付杆と、を備えてなる（例えば、特許文献１参照。）。
【０００３】
図５は、従来の軒樋支持具の一例を示す概略側面図である。
【０００４】
この軒樋支持具１００は、軒先等の取付面（不図示）に取付杆１０１を固定し、この取付杆１０１に取付けられた軒樋支持具本体１０２の出具合を長孔（不図示）を介して調節ネジ１０３で調節したうえで、前耳掛止部１１２に軒樋Ｔの前耳Ｔ１を掛止すると共に、前記軒樋Ｔの後耳Ｔ２を後耳掛止部１２２に掛止することにより、軒樋Ｔを取付けて使用されている。
【０００５】
なお、１２２ａは、バネ部材であり、後耳Ｔ２を後耳掛止部１２２に誘導すると共に、掛止後の後耳Ｔ２の抜け外れを防止している。
【０００６】
ところが、例えば、強風に晒される場所や高所などに設置される軒樋Ｔでは、万一、軒樋Ｔが軒樋支持具１００から外れてしまうと大事故に繋がる危険があるため、取付けられた軒樋Ｔの前耳Ｔ１又は後耳Ｔ２の抜け外れを確実に防止する耳押え体１０４を更に設けている。
【０００７】
この耳押え体１０４は、軒樋Ｔの前耳Ｔ１を押える略Ｌ状に形成された耳押え片１１４と、この耳押え片１１４を軒樋支持具本体１０２に固定するためのボルト１２４、蝶ナット１３４とで構成している。
【０００８】
また、耳押え片１１４の基部１１４ａ及び軒樋支持具本体１０２には、各々軸孔（不図示）が開設されており、この軸孔（不図示）にボルト１２４を貫通し、これを蝶ナット１３４で螺着することにより、前耳Ｔ２を前耳掛止部１１２と耳押え片１０４とで挟持して、前耳Ｔ２の抜け外れを確実に防止する構造にしている。
【特許文献１】特開平９−２７３２７５号公報
【発明の開示】
【発明が解決しようとする課題】
【０００９】
しかしながら、従来の軒樋支持具１００における耳押え体１０４は、耳押え片１１４、ボルト１２４、蝶ナット１３４の３つの部品から構成されており、部品点数が多いという問題があった。
【００１０】
この部品点数の多さは、耳押え片１１４の取付作業において手間を要するという問題を生じ、特に、高所に設置された軒樋１００では、取付作業する際に手元が見難いことが多いため、耳押え体１００の取付作業が困難であるという問題もあった。
【００１１】
本発明は、かかる課題を解決することを目的とするもので、耳押え体の部品点数を軽減して、耳押え体を簡単且つ確実に軒樋支持具本体に取付けることのできる軒樋支持具を提供するものである。
【課題を解決するための手段】
【００１２】
上記目的を達成するため、
請求項１に係る軒樋支持具は、軒樋の前耳及び後耳を各々掛止する前耳掛止部及び後耳掛止部を設けた軒樋支持具本体と、この軒樋支持具本体を軒先等の取付面に固定するための取付杆と、前記前耳掛止部に掛止された前耳又は後耳掛止部に掛止された後耳の抜け外れを防止する耳押え体と、を備えてなる軒樋支持具において、前記耳押え体は、軒樋の前耳又は後耳を押える耳押え片の基部に、前記軒樋支持具本体に係止される取付片を一体形成してなり、前記耳押え片を、前耳掛止部に掛止された前耳又は後耳掛止部に掛止された後耳に添設すると共に、前記取付片を軒樋支持具本体に係止して、前耳又は後耳の抜け外れを防止する構造にしたことを特徴とする。
【００１３】
請求項２に係る軒樋支持具は、請求項１において、耳押え体の取付片は、軒樋支持具本体に折り曲げて係止されてなることを特徴とする。
【００１４】
請求項３に係る軒樋支持具は、請求項１において、耳押え体の取付片は、軒樋支持具本体に弾性付勢して係止されてなることを特徴とする。
【００１５】
請求項４に係る軒樋支持具は、請求項１において、耳押え体の取付片は、軒樋支持具本体に折り曲げ及び弾性付勢して係止されてなることを特徴とする。
【００１６】
請求項５に係る軒樋支持具は、請求項１〜４の何れかにおいて、耳押え片又は取付片の少なくとも一方には、補強部を形成したことを特徴とする。
【発明の効果】
【００１７】
本発明によれば、次のような効果がある。
請求項１に係る軒樋支持具によれば、耳押え体は、耳押え片と取付片が一体形成されているので、従来のようなボルト、蝶ナットを不要にして、部品点数を軽減できる。
【００１８】
また、耳押え体の取付片を、軒樋支持具本体に係止するだけで、この耳押え体を軒樋支持具本体に確実に取付けでき、耳押え体の取付作業を簡単且つ確実に行うことができる。
【００１９】
請求項２に係る軒樋支持具によれば、耳押え体の取付片を軒樋支持具本体に折り曲げて係止する構造にしているので、取付片を折り曲げて係止した感触を実感でき、耳押え体の取付作業を確実に行うことができる。
【００２０】
請求項３に係る軒樋支持具によれば、耳押え体の取付片を軒樋支持具本体に弾性付勢して係止する構造にしているので、耳押え体の取付片を軒樋支持具本体にワンタッチで係止することができ、耳押え体の取付作業を素早く且つ簡単に行うことができる。
【００２１】
請求項４に係る軒樋支持具によれば、耳押え体の取付片を軒樋支持具本体に折り曲げ及び弾性付勢して係止する構造にしているので、請求項２及び請求項３の効果を相乗して得ることができる。
【００２２】
請求項５に係る軒樋支持具によれば、耳押え片又は取付片の少なくとも一方には、補強部を形成しているので、耳押え片又は取付片の強度を高めることができ、耳押え体の取付強度を高めることができる。
【発明を実施するための最良の形態】
【００２３】
以下、本発明に係る軒樋支持具を図面とともに説明する。
【実施例１】
【００２４】
図１は、本発明に係る軒樋支持具Ａの一実施例を示す使用状態の斜視図であり、図２は、図１を側面から見た状態の概略側面図である。また、図３は、図１及び図２で示された耳押え体の三面図であり、（ａ）は、平面図、（ｂ）は側面図、（ｃ）は補強部側から見た図である。
【００２５】
この軒樋支持具Ａは、軒樋Ｔの前耳Ｔ１及び後耳Ｔ２を各々掛止する前耳掛止部１１及び後耳掛止部１２を設けた軒樋支持具本体１と、この軒樋支持具本体１を軒先等の取付面（不図示）に固定するための取付杆２と、前耳掛止部１１に掛止された前耳Ｔ１又は後耳掛止部１２に掛止された後耳Ｔ２の抜け外れを防止する耳押え体３と、より構成している。
【００２６】
本発明は、耳押え体３の構造に特徴があり、軒樋支持具本体１及び取付杆２は、図例のものに限定されず、両者が一体構造のもの、別体構造のものなど、従来のものを利用できる。
【００２７】
本実施例の軒樋支持具本体１及び取付杆２には、両者を連結すると共に軒樋支持具本体１の出具合を長孔Ｒ１を介して調節可能なスライド連結機構Ｒを備えており、従来同様、軒先等の取付面（不図示）に固定された取付杆２に対して、軒先支持具本体１の出具合をスライド連結機構Ｒによって調節可能にしている。
【００２８】
本発明の耳押え体３は、軒樋Ｔの前耳Ｔ１を押える耳押え片３１の基部に、軒樋支持具本体１に係止される取付片３２を一体形成してなり、本実施例で示す耳押え体３の取付片３１は、軒樋支持具本体１に折り曲げ及び弾性付勢して係止する構造を例示したものである。
【００２９】
ここで、一体形成とは、１枚の金属板を折り曲げ加工して図例のような耳押え体３を形成する他、耳押え片３１を合成樹脂材で形成し、これに金属板で形成した取付片３２をリベット等で連結して一体的に形成したものも含む意味である。
【００３０】
耳押え片３１の形状は、前耳係止部１１に掛止される軒樋Ｔの前耳Ｔ１の形状に応じて適宜形成されるが、ここでは、掛止された前耳Ｔ１を外装するように耳押え片３１を略Ｌ状に形成したものを例示している。
【００３１】
また、耳押え片３１の中央には、長手方向に向けてリブによる補強部３１ａを形成し、耳押え片３１の強度を高めている。なお、補強部３１ａとしては、図例のリブに代えて、例えばビート・折り曲げ段部・フランジ等を形成しても良い。
【００３２】
取付片３２は、軒樋支持具本体１に弾性付勢して係止されてなり、図３で示すように、一側方に向けて開放したコ状に形成し、その上片３２ａを他側方に向けて延設すると共に、この上片３２ａの一部に開口３２ｂを開設している。一方、上片３２ａに並設された下片３２ｃは、軒樋支持具本体１を挟持するように形成され、その端縁には、下片３２ｃよりも細幅に形成し且つ更に下方に折り曲げた差込片３２ｄを設けている。
【００３３】
このように形成した耳押え片３は、前耳掛止部１１に掛止された前耳Ｔ１に添設すると共に、軒樋支持具本体１の側方から上片３２ａ及び下片３２ｃを嵌め込んだ後、図１及び図２で示すように、上片３２ａの先端を指で下方に折り曲げた後に折り返せば、軒樋支持具本体１を抱持するように係止して簡単に取付けでき、前耳Ｔ１の抜け外れを確実に防止できる。
【００３４】
以上の通り、本発明によれば、耳押え体３は、耳押え片３１と取付片３２が一体形成されているので、従来のようなボルト、蝶ナットを不要にして、部品点数を軽減できる。
【００３５】
また、耳押え体３の取付片３２を、軒樋支持具本体１に係止するだけで、この耳押え体３を軒樋支持具本体１に確実に取付けでき、耳押え体３の取付作業を簡単且つ確実に行うことができる。
【００３６】
なお、図３で示した耳押え体３の下片３２ｃを無くせば、軒樋支持具本体１に折り曲げて係止する構造にできる。
【００３７】
図４は、耳押え体３の他の実施例を示す三面図であり、（ａ）は、平面図、（ｂ）は側面図、（ｃ）は補強部側から見た図を示している。
【００３８】
なお、図１〜図３と共通する部位には、共通の符号を付し、その説明は省略する。
【００３９】
この耳押え体３の取付片３１は、軒樋支持具本体１に弾性付勢して係止する構造にしたことに特徴がある。
【００４０】
ここでの取付片３２は、図４で示すように、耳押え片３１の基部の両側に、下方に向けて取付片３２、３２を延設し、これら取付片３２、３２の内面には、軒樋支持具本体１に係止可能な鍔片３２ｅを形成している。
【００４１】
このように形成した耳押え片３は、前記同様、前耳掛止部１１に掛止された前耳Ｔ１に添設すると共に、軒樋支持具本体１の上方から取付片３２、３２を押し込むだけで、軒樋支持具本体１を抱持するようにワンタッチで係止して取付けでき、耳押え体３の取付作業を素早く且つ簡単に行うことができるうえ、前耳Ｔ１の抜け外れを確実に防止できる。
【図面の簡単な説明】
【００４２】
【図１】本発明に係る軒樋支持具Ａの一実施例を示す使用状態の斜視図である。
【図２】図１を側面から見た状態の概略側面図である。
【図３】図１及び図２で示された耳押え体の三面図であり、（ａ）は、平面図、（ｂ）は側面図、（ｃ）は補強部側から見た図である。
【図４】耳押え体の他の実施例を示す三面図であり、（ａ）は、平面図、（ｂ）は側面図、（ｃ）は補強部側から見た図である。
【図５】従来の軒樋支持具の一例を示す概略側面図である。
【符号の説明】
【００４３】
Ａ      軒樋支持具
Ｔ      軒樋
Ｔ１    前耳
Ｔ２    後耳
１      軒樋支持具本体
１１    前耳掛止部
１２    後耳掛止部
２      取付杆
３      耳押え体
３１    耳押え片
３２    取付片
【図１】
2006225942.tif 000003
【図２】
2006225942.tif 000004
【図３】
2006225942.tif 000005
【図４】
2006225942.tif 000006
【図５】
2006225942.tif 000007